Podtech/llm-jp-corpus-v4-ja_patent huggingface dataset:
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
以下の構成要素：
（１）シグナルペプチドをコードするセグメント、
（２）異種性の酸化還元因子再生ポリペプチドをコードするセグメント、
（３）随意に、プロテアーゼ認識部位をコードするセグメント、
（４）膜貫通リンカーをコードするセグメント、および
（５）オートトランスポーターまたはそのバリアントのトランスポータードメインをコードするセグメント
を含み、
前記酸化還元因子再生ポリペプチドが、ＮＡＤＨ、ＮＡＤ＋、ＮＡＤＰＨ、ＮＡＤＰ＋、ＦＡＤＨ２およびＦＡＤを含む群より選択される酸化還元因子を再生するのに好適なポリペプチドである、請求項１に記載の核酸分子。
【請求項２】
酸化還元因子再生ポリペプチドが、１または２以上のフラビン補助因子を含む、請求項１に記載の核酸分子。
【請求項３】
酸化還元因子再生ポリペプチドが、ＮＡＤＨオキシダーゼ、ギ酸デヒドロゲナーゼ、グルコースデヒドロゲナーゼを含む群より選択される、請求項１または２に記載の核酸分子。
【請求項４】
酸化還元因子を再生するポリペプチドが、Lactobacillus brevis、Thermus thermophilus、Thermus aquaticus、Brevibacterium sp. KU139およびStreptococcus faecalisのＮＡＤＨオキシダーゼ、好ましくはLactobacillus brevisのＮＡＤＨオキシダーゼ、およびそのバリアントを含む群より選択される、請求項３に記載の核酸分子。
【請求項５】
オートトランスポーターのトランスポータードメインが、Ssp、Ssp-h1、Ssp-h2、PspA、PspB、Ssa1、SphB1、AspA/NalP、VacA、AIDA-I、IcsA、MisL、TibA、Ag43、ShdA、AutA、Tsh、SepA、EspC、EspP、Pet、Pic、SigA、Sat、Vat、EpeA、EatA、EspI、EaaA、EaaC、パータクチン、BrkA、Tef、Vag8、PmpD、Pmp20、Pmp21、AgA1プロテアーゼ、App、Hap、rOmpA、rOmpB、ApeE、EstA、Lip-1、McaP、BabA、SabA、AlpA、Aae、NanBおよびそのバリアントを含む群より選択される、請求項１〜４のいずれか一項に記載の核酸分子。
【請求項６】
酸化還元因子再生ポリペプチドが酸素感受性である、請求項１〜５のいずれか一項に記載の核酸分子。
【請求項７】
請求項１〜６のいずれか一項に記載の核酸分子によりコードされるポリペプチド。
【請求項８】
請求項７に記載のポリペプチドを、その表面上に発現するか、または、請求項１〜６のいずれか一項に記載の核酸分子を用いて形質転換された、細胞。
【請求項９】
請求項８に記載の細胞から得られる膜画分。
【請求項１０】
酸化還元因子を再生する方法であって、以下の工程：
（ａ）請求項７に記載のポリペプチド、請求項９に記載の膜調製品または請求項８に記載の細胞を提供すること、
（ｂ）請求項７に記載のポリペプチド、請求項９に記載の膜調製品または請求項８に記載の細胞を、酸化還元因子を再生するポリペプチドの１または２以上の基質と接触させること、
ここで、１つの基質または幾つかの基質は、酸化還元因子を含む、
を含む、前記方法。
【請求項１１】
酸化還元因子の再生のための、請求項８に記載の細胞の、または請求項９に記載の膜調製品の、または請求項７に記載のポリペプチドの、使用。
【請求項１２】
好ましくは水溶液を脱酸素することによる、該水溶液の酸化還元環境の調整のための、請求項８に記載の細胞の、または請求項９に記載の膜調製品の、または請求項７に記載のポリペプチドの使用。
【請求項１３】
その表面上に酸化還元因子再生ポリペプチドをディスプレイする細胞を生産するための方法であって、以下の工程：
（ａ）請求項１〜６のいずれか一項に記載の核酸を細胞に導入すること、
（ｂ）随意に、前記細胞を、１または２以上の酸化還元反応性補欠分子族と接触させること
を含む、前記方法。
【請求項１４】
酸化還元因子依存的酵素の産物を生産する方法であって、以下の工程：
（ａ）酸化還元因子依存的酵素を提供すること、
（ｂ）請求項８に記載の細胞、請求項９に記載の膜調製品または請求項７に記載のポリペプチドを提供すること、および
（ｃ）請求項８に記載の細胞、請求項９に記載の膜調製品または請求項７に記載のポリペプチドの存在下において、酸化還元因子依存的酵素をその基質の１または２以上と接触させること、
ここで、請求項８に記載の細胞、請求項９に記載の膜調製品または請求項７に記載のポリペプチドは、酸化還元因子依存的ポリペプチドが依存する酸化還元因子を再生するポリペプチドを含む、
を含む、前記方法。
【手続補正書】
【提出日】平成26年7月30日(2014.7.30)
【手続補正１】
【補正対象書類名】特許請求の範囲
【補正対象項目名】全文
【補正方法】変更
【補正の内容】
【特許請求の範囲】
【請求項１】
ｐ５３により複製が障害される、かつＥ４−ＯＲＦ３が障害されたアデノウイルス。
【請求項２】
単離されている、請求項１に記載のアデノウイルス。
【請求項３】
組換え体である、請求項１に記載のアデノウイルス。
【請求項４】
変異したＥ４−ＯＲＦ３遺伝子を含む、請求項１に記載のアデノウイルス。
【請求項５】
前記Ｅ４−ＯＲＦ３遺伝子またはその機能部分が欠失している、請求項４に記載のアデノウイルス。
【請求項６】
前記Ｅ４−ＯＲＦ３が障害されたアデノウイルスはＥ１Ｂ−５５ｋもまた障害されている、請求項１に記載のアデノウイルス。
【請求項７】
変異したＥ１Ｂ−５５ｋ遺伝子を含む、請求項６に記載のアデノウイルス。
【請求項８】
前記Ｅ１Ｂ−５５ｋ遺伝子またはその機能部分が欠失している、請求項７に記載のアデノウイルス。
【請求項９】
請求項１に記載のＥ４−ＯＲＦ３が障害されたアデノウイルスに感染した細胞。
【請求項１０】
がんを処置するための組成物であって、有効量の、請求項１に記載のアデノウイルスを含む、組成物。
【請求項１１】
前記がんがｐ５３に関連するがんである、請求項１０に記載の組成物。
【請求項１２】
前記がんが肺がん、皮膚がんまたは乳がんである、請求項１０に記載の組成物。
【請求項１３】
処置しようとするがんが前がん状態の乳がんである、請求項１０に記載の組成物。
【手続補正２】
【補正対象書類名】明細書
【補正対象項目名】０００９
【補正方法】変更
【補正の内容】
【０００９】
別の態様では、がんを処置する方法が提供される。当該方法は、有効量（例えば、治療有効用量または量（ｔｈｅｒａｐｅｕｔｉｃａｌｌｙ  ｅｆｆｅｃｔｉｖｅ  ｄｏｓｅ  ｏｒ  ａｍｏｕｎｔ））の改変アデノウイルス（上記の）または上記改変アデノウイルスをコードする１種または複数種の核酸を、それを必要とする被験体に投与するステップを含む。
特定の実施形態では、例えば以下が提供される：
（項目１）
ｐ５３により複製が障害される、かつＥ４−ＯＲＦ３が障害されたアデノウイルス。
（項目２）
単離されている、項目１に記載のアデノウイルス。
（項目３）
組換え体である、項目１に記載のアデノウイルス。
（項目４）
変異したＥ４−ＯＲＦ３遺伝子を含む、項目１に記載のアデノウイルス。
（項目５）
前記Ｅ４−ＯＲＦ３遺伝子またはその機能部分が欠失している、項目４に記載のアデノウイルス。
（項目６）
前記Ｅ４−ＯＲＦ３が障害されたアデノウイルスはＥ１Ｂ−５５ｋもまた障害されている、項目１に記載のアデノウイルス。
（項目７）
変異したＥ１Ｂ−５５ｋ遺伝子を含む、項目６に記載のアデノウイルス。
（項目８）
前記Ｅ１Ｂ−５５ｋ遺伝子またはその機能部分が欠失している、項目７に記載のアデノウイルス。
（項目９）
項目１に記載のＥ４−ＯＲＦ３が障害されたアデノウイルスに感染した細胞。
（項目１０）
がんを処置する方法であって、有効量の、項目１に記載のアデノウイルスを、それを必要とする被験体に投与するステップを含む、方法。
（項目１１）
前記がんがｐ５３に関連するがんである、項目１０に記載の方法。
（項目１２）
前記がんが肺がん、皮膚がんまたは乳がんである、項目１０に記載の方法
（項目１３）
処置しようとするがんが前がん状態の乳がんである、項目１０に記載の方法。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
Ｒ−００８３８０６４８−０００Ｅ、Ｒ−００８３８０７８３−０００Ｒ、Ｒ−００８３８０６６５−０００Ｎ、Ｒ−００８３８０６４５−０００Ｄ、 Ｒ−００８３８０４０８−０００Ｒ、Ｒ−００８３８０６３３−０００Ｕ、Ｒ−００８３８０７６７−０００Ｒ、Ｒ−００８３８０７３０−０００Ｃ、 Ｒ−００８３８０７７７−０００Ｈ、Ｒ−００８３８０７４０−０００Ｖ、Ｒ−００８３８０５５８−０００Ｍ、Ｒ−００８３８０４０６−０００Ｙ、 Ｒ−００８３８０７６４−０００Ｐ、Ｒ−００８３８０７７２−０００Ｐ、Ｒ−００８３８０３８９−０００Ｄ、Ｒ−００８３８０３６２−０００Ｈ、 Ｒ−００８３８０３６３−０００Ｓ、Ｒ−００８３８０３４０−０００Ｆ、Ｒ−００８３８０６８９−０００Ｈ、Ｒ−００８３８０７５６−０００Ｐ、 Ｒ−００８３８０７３６−０００Ｅ、Ｒ−００８３８０７５７−０００Ｙ、Ｒ−００８３８０７５３−０００Ｎ、Ｒ−００８３８０７３７−０００Ｎ、 Ｒ−００８３８０７３４−０００Ｍ、またはＲ−００８３８０７９１−０００Ｒのいずれかを含む二本鎖低分子干渉核酸（ｓｉＮＡ）分子。
【請求項２】
請求項１に記載の二本鎖低分子干渉核酸（ｓｉＮＡ）および薬学的に許容され得る担体または希釈剤を含む組成物。
【請求項３】
（ａ）請求項１に記載の二本鎖低分子干渉核酸（ｓｉＮＡ）；
（ｂ）カチオン性脂質；
（ｃ）コレステロール；
（ｄ）ＤＳＰＣ；および
（ｅ）ＰＥＧ−ＤＭＧ
を含む組成物。
【請求項４】
（ａ）請求項１に記載の二本鎖低分子干渉核酸（ｓｉＮＡ）；
（ｂ）（１３Ｚ，１６Ｚ）−Ｎ，Ｎ−ジメチル−３−ノニルドコサ−１３，１６−ジエン−１−アミン；
（ｃ）コレステロール；
（ｄ）ＤＳＰＣ；および
（ｅ）ＰＥＧ−ＤＭＧ
を含む組成物。
【請求項５】
（１３Ｚ，１６Ｚ）−Ｎ，Ｎ−ジメチル−３−ノニルドコサ−１３，１６−ジエン−１−アミン、コレステロール、ＤＳＰＣ、およびＰＥＧ−ＤＭＧが、それぞれ５０：３０：１０：２のモル比を有する、請求項４に記載の組成物。
【請求項６】
請求項５に記載の組成物および薬学的に許容され得る担体または希釈剤を含む組成物。
【請求項７】
Ｂ型肝炎ウイルス（ＨＢＶ）の作用または該作用の喪失によって媒介される病状に苦しんでいるヒト被検体を処置するための組成物であって、有効量の請求項１に記載の二本鎖低分子干渉核酸（ｓｉＮＡ）分子を含有する組成物。
【請求項８】
該病状がＨＢＶ感染である、請求項７に記載の組成物。
【請求項９】
該病状が肝細胞癌である、請求項７に記載の組成物。
【請求項１０】
請求項１に記載の二本鎖低分子干渉核酸（ｓｉＮＡ）を備えるキット。
【請求項１１】
Ｂ型肝炎ウイルス（ＨＢＶ）の作用または該作用の喪失によって媒介される病状に苦しんでいるヒト被検体を処置するための医薬の製造における、請求項１に記載の二本鎖低分子干渉核酸（ｓｉＮＡ）分子の使用。
【請求項１２】
該病状がＨＢＶ感染である、請求項１１に記載の使用。
【請求項１３】
該病状が肝細胞癌である、請求項１１に記載の使用。
【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
一般式：
（Ｒ’）ｘＺｎｙ（Ｌ）ｚ（Ａ）ｎ（ＸＲ）ｍ
式中
Ｌは、式１、式２、式３、式４、式５、式６、式７、式８、式９、式１０、式１１、式１２または式１３の構造によって表される二または多官能性有機中性配位子またはその脱プロトン化形態であり：
【化１】
2013537517.tif 000001
2013537517.tif 000002
式中、Ｒ１、Ｒ２、Ｒ３、Ｒ４、Ｒ５、Ｒ６、Ｒ７、Ｒ８、Ｒ９、Ｒ１０、Ｒ１１は、窒素、硫黄、酸素から選択されるヘテロ原子、水素に結合した炭素原子、場合により置換されている直鎖または分枝状のＣ１〜Ｃ１０アルキル、場合により置換されているフェニル、場合により置換されているベンジル、場合により置換されているエーテル基、場合により置換されているケトン基、ハロゲン、−ＯＨ、−ＳＨ、−ＮＨ２、−ＮＨＲ、−ＣＯＯＨ、−ＣＯＮＨ２、−ＣＯＮＲＨ、−Ｏ−、−Ｓ−、−ＮＨ−、−ＮＲ−、−ＣＯＯ−、−ＣＯＮＨ−、または−ＣＯＮＲ−であり；
ここで、配位子は、−ＯＨ、−ＳＨ、−ＮＨ２、−ＮＨＲ、−ＣＯＯＨ、−ＣＯＮＨ２、−ＣＯＮＲＨ、およびこれらの脱プロトン化された等価体−Ｏ−、−Ｓ−、−ＮＨ−、−ＮＲ、−ＣＯＯ−、−ＣＯＮＨ−、−ＣＯＮＲ−から選択される少なくとも１個の官能基を含み、
Ａは、Ｏ２−、Ｓ２−、Ｓｅ２−、Ｔｅ２−、ＣＯ３２−、ＳＯ４２−、ＳＯ３２−、ＣＳ２Ｏ２−、ＣＳ３２−、ＢＯ３３−、ＮＯ２−、およびＮＯ３−から選択される無機アニオンであり、
Ｘは、酸素または硫黄であり、
Ｒ’は、直鎖または分枝状のＣ１〜Ｃ１０アルキル、ベンジル、フェニル、シクロヘキシルまたはハロゲンであり、
Ｒは、水素、アルキルまたはアリールであり、
ｘは、０〜６の数であり、
ｙは、１〜１２の数であり、
ｚは、１〜１２の数であり、
ｎは、０〜６の数であり、
ｍは、０〜６の数であり、
ここで、同時にｘ≠０、ｎ≠０およびｍ≠０であり、ｎおよびｍ＝０であるときには、ｘ≠ｚである；
の化合物。
【請求項２】
無機アニオンＡが、Ｏ２−、Ｓ２−、Ｓｅ２−、ＣＯ３２−、ＣＳ２Ｏ２−、ＢＯ３３−、およびＮＯ３−から選択される、請求項１に記載の化合物。
【請求項３】
官能基が、１〜３個の炭素原子の飽和または不飽和炭素鎖によって配位子Ｌから分離される、請求項１に記載の化合物。
【請求項４】
配位子ＬにおけるＲ１が、−ＯＨ、−ＳＨ、−ＮＨ２、−ＮＨＲ、−ＣＯＯＨ、−ＣＯＮＨ２、−ＣＯＮＲＨ、−Ｏ−、−Ｓ−、−ＮＨ−、−ＮＲ−、−ＣＯＯ−、−ＣＯＮＨ−、および−ＣＯＮＲ−から選択される基の１つに結合している、または、
配位子ＬにおけるＲ１が、−Ｏ−、−Ｓ−、−ＮＨ−、−ＮＲ−、−ＣＯＯ−、−ＣＯＮＨ−、および−ＣＯＮＲ−から選択される基の１つに結合している、または、
Ｌが、８−ヒドロキシキノリン、１０−ヒドロキシベンゾキノリンおよび２−（２−ヒドロキシフェニル）ベンゾチアゾールからなる群から選択される、または、
ｘが、１〜６の数である、または、
ｍが、１〜６の数である、または、
Ｌが、式２、式３、式５、式７、式１０または式１２の構造によって表される、請求項１に記載の化合物。
【請求項５】
（ａ）［（Ｚｎｑ２）２（ｔＢｕＺｎＯＨ）２］；
（ｂ）［（Ｚｎｑ２）２（ＥｔＺｎＯＨ）２］；
（ｃ）［（ｔＢｕ）２Ｚｎ４（μ４−Ｏ）（Ｍｅｑ）４］；
（ｄ）［（ｉＰｒ）２Ｚｎ４（μ４−Ｏ）（Ｍｅｑ）４］；
（ｅ）［（Ｅｔ）２Ｚｎ４（ＯＥｔ）２（Ｂｑ）４］；
（ｆ）｛［Ｚｎ（ＢＴＺ）２］（ｔＢｕＺｎＢＴＺ）２｝；
（ｇ）Ｚｎ１０ｑ１２（ＣＯ３）４；
からなる群から選択され、
式中：
ｑが、８−ヒドロキシキノリンであり；
Ｍｅｑが、５，７−ジメチル−８−ヒドロキシキノリンであり；
ＢＺＴが、２−（２−ヒドロキシフェニル）ベンゾチアゾールであり；
Ｅｔが、エチルであり；
ｉＰｒが、イソプロピルであり；
ｔＢｕが、ｔ−ブチルである；請求項１に記載の化合物。
【請求項６】
一般式
（Ｒ’）ｘＺｎｙ（Ｌ）ｚ（Ａ）ｎ（ＸＲ）ｍ
式中、Ａ、Ｌ、Ｘ、Ｒ、Ｒ’、ｘ、ｙ、ｚ、ｎ、およびｍは、請求項１に定義されている通りである；
の化合物の調製方法であって、
構造（Ｒ’）ｘＺｎｙ（Ｌ）ｚ（ＸｋＲ）ｍ：式中、ｋは１または２である；によって表される前駆体が、溶媒中で：
（ａ）酸素；
（ｂ）水；
（ｃ）硫黄元素；
（ｄ）セレニウム；
（ｅ）テルリウム；
（ｆ）炭酸、硫酸（ＩＶ）、硫酸（ＶＩ）、チオ炭酸、ホウ酸、硝酸（ＩＩＩ）および硝酸（Ｖ）から選択されるオキシ酸；
（ｇ）Ｈ２、Ｈ２Ｓｅ、およびＨ２Ｔｅから選択される二元酸；
（ｇ）ＣＯ２、ＳＯ２、ＣＳ２、Ｂ２Ｏ３、ＮＯ、およびＮＯ２から選択される酸無水物；もしくは
（ｈ）炭酸、硫酸（ＩＶ）、チオ炭酸、ホウ酸、硝酸（ＩＩＩ）、硝酸（Ｖ）、硫化水素酸、セレン化水素酸、およびテルル化水素酸の塩から選択される無機酸塩
のいずれか１種以上との反応に、あるいは熱転移に付される、方法。
【請求項７】
無水有機溶媒が用いられる、または、
含水有機溶媒が用いられる、または、
水が溶媒として用いられる、または、
有機溶媒が、トルエン、テトラヒドロフラン、ヘキサン、塩化メチレン、ジメチルスルホキシド、アセトニトリル、ならびに、前駆体が易溶性であるアルコール、フェノールもしくは酸、またはこれらの化合物の混合物である、請求項６に記載の方法。
【請求項８】
反応が、−７０℃〜２００℃の温度で実施される、または、
反応が、−７０℃〜１００℃の温度で実施される、請求項６に記載の方法。
【請求項９】
前駆体を、ＣＯ２、ＳＯ２、ＣＳ２、Ｂ２Ｏ３、ＮＯ、およびＮＯ２から選択される酸無水物と反応させる工程を含む、または、
前駆体を、炭酸、硫酸（ＩＶ）、チオ炭酸、ホウ酸、硝酸（ＩＩＩ）、硝酸（Ｖ）、硫化水素酸、セレン化水素酸、およびテルル化水素酸の塩から選択される無機酸塩と反応させる工程を含む、または、
前駆体を、炭酸、硫酸（ＩＶ）、硫酸（ＶＩ）、チオ炭酸、ホウ酸、硝酸（ＩＩＩ）、および硝酸（Ｖ）から選択されるオキシ酸と反応させる工程を含む、または、
前駆体を、Ｈ２、Ｈ２Ｓｅ、およびＨ２Ｔｅから選択される二元酸と反応させる工程を含む、または、
前駆体を、硫黄元素、セレニウムまたはテルリウムと反応させる工程を含む、請求項６に記載の方法。
【請求項１０】
反応が、０．１〜１００ｂａｒの圧力範囲下で実施される、または、
反応が、１〜１００ｂａｒの圧力範囲下で実施される、または、
反応が、１〜２０ｂａｒの圧力範囲下で実施される、請求項６に記載の方法。
【請求項１１】
前駆体が、６０〜７００℃の温度範囲で熱転移に付される、または、
前駆体が、６０〜４００℃の温度範囲で熱転移に付される、請求項６に記載の方法。
【請求項１２】
発光層および伝導層の生成における、請求項１に記載の化合物の使用。
【請求項１３】
発光層および伝導層が、発光団を利用した電子発光ダイオードおよびデバイスの製造に用いられる、請求項１２に記載の使用。
【請求項１４】
細胞および組織の画像化における蛍光タグとしての、請求項１に記載の化合物の使用。
【手続補正書】
【提出日】平成26年6月20日(2014.6.20)
【手続補正１】
【補正対象書類名】特許請求の範囲
【補正対象項目名】全文
【補正方法】変更
【補正の内容】
【特許請求の範囲】
【請求項１】
水性コアを封入する脂質二重層を有するリポソームであって、ここで：（ｉ）該脂質二重層は、５．０〜７．６の範囲のｐＫａを有する脂質を含み；そして（ｉｉ）該水性コアは、免疫原をコードするＲＮＡを含む、リポソーム。
【請求項２】
５．０〜７．６の範囲のｐＫａを有する前記脂質は、三級アミンを有する、請求項１に記載のリポソーム。
【請求項３】
５．０〜７．６の範囲のｐＫａは、５．７〜５．９の間である、請求項１〜２のいずれかに記載のリポソーム。
【請求項４】
５．０〜７．６の範囲のｐＫａを有する前記脂質は、ＲＶ０１、ＲＶ０２、ＲＶ０３、ＲＶ０４、ＲＶ０５、ＲＶ０６、ＲＶ０７、ＲＶ０８、ＲＶ０９、ＲＶ１１、ＲＶ１２、ＲＶ１６もしくはＲＶ１７について本明細書で示される式を有する、請求項１に記載のリポソーム。
【請求項５】
２０〜２２０ｎｍの範囲の直径を有する、請求項１〜４のいずれかに記載のリポソーム。
【請求項６】
前記ＲＮＡ分子は、（ｉ）該ＲＮＡ分子からＲＮＡを転写し得るＲＮＡ依存性ＲＮＡポリメラーゼ、および（ｉｉ）免疫原をコードする、請求項１〜５のいずれかに記載のリポソーム。
【請求項７】
前記ＲＮＡ分子は、２個のオープンリーディングフレームを有し、そのうちの第１のものは、アルファウイルスレプリカーゼをコードし、そのうちの第２のものは、前記免疫原をコードする、請求項５に記載のリポソーム。
【請求項８】
前記ＲＮＡ分子は、９０００〜１２０００ヌクレオチド長である、請求項１〜７のいずれかに記載のリポソーム。
【請求項９】
前記免疫原は、細菌、ウイルス、真菌もしくは寄生生物に対してインビボで免疫応答を誘発し得る、請求項１〜８のいずれかに記載のリポソーム。
【請求項１０】
前記免疫原は、呼吸器系合胞体ウイルス糖タンパク質Ｆに対してインビボで免疫応答を誘発し得る、請求項１〜９のいずれかに記載のリポソーム。
【請求項１１】
請求項１〜１０のいずれかに記載のリポソームを含む、薬学的組成物。
【請求項１２】
脊椎動物において防御的免疫応答を惹起するための、請求項１〜１０のいずれかに記載のリポソーム、または請求項１１に記載の薬学的組成物。
【請求項１３】
ＲＮＡ含有リポソームを調製するためのプロセスであって、該プロセスは、リポソーム処方の間に、（ａ）ＲＮＡと、脂質とを、該脂質のｐＫａ未満であるが４．５を上回るｐＨにおいて混合する工程；次いで、（ｂ）該ｐＨを、該脂質のｐＫａを上回るように上昇させる工程、を包含する、プロセス。
【請求項１４】
請求項１３に記載のプロセスであって、ここで、工程（ａ）において使用されるＲＮＡは、前記脂質の有機溶液と混合して、混合物を与える間、水性溶液中に存在し、該混合物は、次いで、希釈されて、リポソームを形成し；そして前記ｐＨは、リポソーム形成後に、工程（ｂ）において上昇させられる、プロセス。
【手続補正２】
【補正対象書類名】明細書
【補正対象項目名】０１２３
【補正方法】変更
【補正の内容】
【０１２３】
ＰＫＲは、二本鎖ＲＮＡ依存性プロテインキナーゼである。これは、先天的免疫系において重要な役割を果たす。「ＥＩＦ２ＡＫ２」（真核生物翻訳開始因子２−αキナーゼ２（ｅｕｋａｒｙｏｔｉｃ  ｔｒａｎｓｌａｔｉｏｎ  ｉｎｉｔｉａｔｉｏｎ  ｆａｃｔｏｒ  ２−ａｌｐｈａ  ｋｉｎａｓｅ  ２）について）は、この酵素をコードする遺伝子の承認されたＨＧＮＣ名であり、その特有のＨＧＮＣ  ＩＤは、ＨＧＮＣ：９４３７である。ヒトＰＫＲ遺伝子のＲｅｆＳｅｑ配列は、ＧＩ：２０８４３１８２５である。
例えば、本発明は、以下の項目を提供する：
（項目１）
水性コアを封入する脂質二重層を有するリポソームであって、ここで：（ｉ）該脂質二重層は、５．０〜７．６の範囲のｐＫａを有する脂質を含み；そして（ｉｉ）該水性コアは、免疫原をコードするＲＮＡを含む、リポソーム。
（項目２）
５．０〜７．６の範囲のｐＫａを有する上記脂質は、三級アミンを有する、項目１に記載のリポソーム。
（項目３）
５．０〜７．６の範囲のｐＫａは、５．７〜５．９の間である、上記項目のいずれかに記載のリポソーム。
（項目４）
５．０〜７．６の範囲のｐＫａを有する上記脂質は、ＲＶ０１、ＲＶ０２、ＲＶ０３、ＲＶ０４、ＲＶ０５、ＲＶ０６、ＲＶ０７、ＲＶ０８、ＲＶ０９、ＲＶ１１、ＲＶ１２、ＲＶ１６もしくはＲＶ１７について本明細書で示される式を有する、項目１に記載のリポソーム。
（項目５）
２０〜２２０ｎｍの範囲の直径を有する、上記項目のいずれかに記載のリポソーム。
（項目６）
上記ＲＮＡ分子は、（ｉ）該ＲＮＡ分子からＲＮＡを転写し得るＲＮＡ依存性ＲＮＡポリメラーゼ、および（ｉｉ）免疫原をコードする、上記項目のいずれかに記載のリポソーム。
（項目７）
上記ＲＮＡ分子は、２個のオープンリーディングフレームを有し、そのうちの第１のものは、アルファウイルスレプリカーゼをコードし、そのうちの第２のものは、上記免疫原をコードする、項目５に記載のリポソーム。
（項目８）
上記ＲＮＡ分子は、９０００〜１２０００ヌクレオチド長である、上記項目のいずれかに記載のリポソーム。
（項目９）
上記免疫原は、細菌、ウイルス、真菌もしくは寄生生物に対してインビボで免疫応答を誘発し得る、上記項目のいずれかに記載のリポソーム。
（項目１０）
上記免疫原は、呼吸器系合胞体ウイルス糖タンパク質Ｆに対してインビボで免疫応答を誘発し得る、上記項目のいずれかに記載のリポソーム。
（項目１１）
上記項目のいずれかに記載のリポソームを含む、薬学的組成物。
（項目１２）
脊椎動物において防御的免疫応答を惹起するための方法であって、該方法は、該脊椎動物に、有効量の、項目１〜１０に記載のリポソーム、または項目１１に記載の薬学的組成物を投与する工程を包含する、方法。
（項目１３）
ＲＮＡ含有リポソームを調製するためのプロセスであって、該プロセスは、リポソーム処方の間に、（ａ）ＲＮＡと、脂質とを、該脂質のｐＫａ未満であるが４．５を上回るｐＨにおいて混合する工程；次いで、（ｂ）該ｐＨを、該脂質のｐＫａを上回るように上昇させる工程、を包含する、プロセス。
（項目１４）
項目１３に記載のプロセスであって、ここで、工程（ａ）において使用されるＲＮＡは、上記脂質の有機溶液と混合して、混合物を与える間、水性溶液中に存在し、該混合物は、次いで、希釈されて、リポソームを形成し；そして上記ｐＨは、リポソーム形成後に、工程（ｂ）において上昇させられる、プロセス。
【手続補正書】
【提出日】平成26年5月30日(2014.5.30)
【手続補正１】
【補正対象書類名】特許請求の範囲
【補正対象項目名】全文
【補正方法】変更
【補正の内容】
【特許請求の範囲】
【請求項１】
細胞中への粒子の透過を促進することができ、前記粒子中に均一に分散している官能基
を有するセラミックマトリックスの粒子、及び親水性を有し、前記粒子の細孔内に配置さ
れ、セラミックマトリックスの溶解によって前記粒子から放出可能な生体分子を含む粒子
状物質。                        
【請求項２】
官能基が、生体分子と化学的に相互作用して浸出を実質的に防止する、請求項1に記載の粒子状物質。
【請求項３】
セラミックマトリックスの官能基が、アミノ官能基を含む、請求項1または２に記載の粒子状物質。
【請求項４】
ポリエチレングリコール鎖が前記粒子の表面に結合している、請求項1〜3のいずれか一項に記載の粒子状物質。
【請求項５】
標的指向性基が、前記粒子の表面に結合している、請求項1〜4のいずれか一項に記載の粒子状物質。
【請求項６】
前記粒子が、約20〜約100nmの平均粒径を有し、前記粒子が、約1〜約50nmの細孔径を有する、請求項1〜5のいずれか一項に記載の粒子状物質。
【請求項７】
ポリマー又は錯化剤が、生体分子と一緒に前記粒子の細孔中に配置され、プロトンスポンジ効果をもたらす、請求項1〜6のいずれか一項に記載の粒子状物質。
【請求項８】
その細孔中に配置された生体分子を含む粒子の製造方法であって、
a)疎水性液体、第一セラミック前駆体及び界面活性剤を含む疎水性相並びに親水性液体、第二セラミック前駆体及び生体分子を含む親水性相を、疎水性相中に分散された親水性相の液滴を含むエマルジョンを形成するように合わせるステップと、
b)液滴の内部に前記粒子が形成するようにエマルジョンをかき混ぜるステップと
を含み、第一セラミック前駆体が、細胞中への前記粒子の透過を促進することができる官能基を含む、前記方法。
【請求項９】
その細孔中に配置された生体分子を含む粒子の製造方法であって、
a)疎水性液体及び界面活性剤を含む疎水性相並びに親水性液体及び触媒を含む親水性相を疎水性相中に分散された親水性相の液滴を含むエマルジョンを形成するように合わせるステップと、
b)セラミック前駆体をエマルジョンに添加し、セラミック前駆体を加水分解するステップと、
c)親水性相のpHを、生体分子に適した範囲に調整するステップと、
d)エマルジョンに生体分子及び官能化されたセラミック前駆体を添加するステップと、
e)エマルジョンを、液滴の内部に前記粒子が形成するようにかき混ぜるステップと
を含み、官能化されたセラミック前駆体が、細胞中への前記粒子の透過を促進することができる官能基を含む、前記方法。
【請求項１０】
第一セラミック前駆体の官能基または官能化されたセラミック前駆体が、生体分子と化学的に相互作用する、例えば、静電的に相互作用することができる、請求項8又は9に記載の方法。
【請求項１１】
第一セラミック前駆体または官能化されたセラミック前駆体が、アミノ官能性アルコキシシランである、請求項8〜10のいずれか一項に記載の方法。
【請求項１２】
親水性相を形成するように、
親水性液体及び第二セラミック前駆体を合わせるステップと、
第一セラミック前駆体のpKa未満のpHに調整するステップと
生体分子を添加するステップと
を含み、前記ステップがステップa)に先立って実施される、請求項8に記載の方法。
【請求項１３】
pHを調整するステップが、第二セラミック前駆体の親水性液体溶液をカチオン交換樹脂に曝露させ、次いで、前記溶液のpHが第一セラミック前駆体のpKa未満の所望のpHに到達したら前記溶液を樹脂から分離することを含む、請求項12に記載の方法。
【請求項１４】
生体分子が、負に帯電しているか、又は前記粒子の細孔を通過できないほど十分に大きい、請求項8〜13のいずれか一項に記載の方法。
【請求項１５】
前記粒子を表面処理するために、前記粒子を形成した後のエマルジョンに表面処理剤を添加するステップ
をさらに含む、請求項8〜14のいずれか一項に記載の方法。
【請求項１６】
表面処理剤が、トリアルコキシシリル-PEGなどのPEG-シランである、請求項15に記載の方法。
【請求項１７】
表面処理剤が、患者中の標的を標的化するための標的指向性基を含む、請求項15または16に記載の方法。
【請求項１８】
ポリマー又は錯化剤が、生体分子と一緒に前記粒子の細孔内に配置されるように添加され、ここでポリマーが、ポリエチリナミン、ポリリシン、若しくはポリヒスチジン、又はプロトンスポンジ効果をもたらす物質である、請求項8〜17のいずれか一項に記載の方法。
【請求項１９】
生体分子及び官能化されたセラミック前駆体の添加に先立って、エマルジョンのpHを、例えば、NaOH、KOH及びNH4OHなどの塩基を添加することによって4を超えるまで調整するステップを含む、請求項9に記載の方法。
【請求項２０】
請求項1〜7のいずれか一項に記載の粒子状物質を、薬学的に許容される担体、希釈剤又は賦形剤と一緒に含む、医薬組成物。
【請求項２１】
哺乳動物における疾患、障害又は状態の治療に使用するための、請求項1〜7のいずれか一項に記載の粒子状物質。
【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
ａ．ＩＬ−１β／ＩＬ−１８二重特異性抗体；又は  ｂ．ＩＬ−１β及びＩＬ−１８に結合する抗体；又は  ｃ．ＩＬ−１βに結合する抗体及びＩＬ−１８に結合する抗体から選択される一又は複数の抗体を含有する医薬であって、前記パートａ、ｂ、又はｃの一又は複数の抗体は、細胞又は組織においてＩＬ−１β及びＩＬ−１８活性を中和し又は遮断することができる抗体である医薬。
【請求項２】
抗体がヒト化されている請求項１に記載の医薬。
【請求項３】
パート（ｂ）の抗体が二重作用抗体である請求項１に記載の医薬。
【請求項４】
パート（ｃ）の少なくとも一つの抗体がモノクローナルである請求項１に記載の医薬。
【請求項５】
パート（ｃ）のそれぞれの抗体がモノクローナルである請求項１に記載の医薬。
【請求項６】
パート（ｃ）の複数の抗体が同時に又は継続的に投与される請求項１に記載の医薬。  
【請求項７】
抗体が１時間以内で投与される請求項６に記載の医薬。
【請求項８】
免疫疾患又は自己免疫疾患又は炎症性若しくは自己炎症性疾患の治療のための請求項１に記載の医薬。
【請求項９】
インフラマソーム媒介疾患の治療のための請求項１に記載の医薬。
【請求項１０】
ＩＬ−１β関連疾患の治療のための請求項１に記載の医薬。
【請求項１１】
ＩＬ−１８関連疾患の治療のための請求項１に記載の医薬。
【請求項１２】
ＩＬ−１β／ＩＬ−１８関連疾患の治療のための請求項１に記載の医薬。
【請求項１３】
加齢黄斑変性（ＡＭＤ）の治療のための請求項８に記載の医薬。
【請求項１４】
２型糖尿病（Ｔ２Ｄ）の治療のための請求項８に記載の医薬。
【請求項１５】
炎症性腸疾患（ＩＢＤ）の治療のための請求項８に記載の医薬。
【請求項１６】
ＩＢＤがクローン病（ＣＤ）である請求項１５に記載の医薬。
【請求項１７】
ＩＢＤが潰瘍性大腸炎（ＵＣ）である請求項１５に記載の医薬。
【請求項１８】
患者が抗ＴＮＦ療法に反応しない請求項１に記載の医薬。
【請求項１９】
有効量のＩＬ−１βに結合するモノクローナル抗体及びＩＬ−１８に結合するモノクローナル抗体を含む医薬。
【請求項２０】
細胞又は組織においてＩＬ−１β及び／又はＩＬ−１８活性を中和又は遮断する方法であって、ＩＬ−１βに結合するモノクローナル抗体及びＩＬ−１８に結合するモノクローナル抗体に前記細胞又は組織を接触させ、それにより前記活性を中和又は遮断することを含む方法。
【請求項２１】
ＩＬ−１βに結合する前記モノクローナル抗体及びＩＬ−１８に結合する前記モノクローナル抗体が、同時に又は継続的に投与される請求項１９に記載の医薬。
【請求項２２】
前記細胞は、ＩＬ−１βに結合する前記モノクローナル抗体及びＩＬ−１８に結合する前記モノクローナル抗体に同時に又は継続的に接触させられる請求項２０に記載の方法。
【請求項２３】
細胞又は組織においてＩＬ−１β及び／又はＩＬ−１８活性を中和又は遮断する薬剤であって、ＩＬ−１βに結合するモノクローナル抗体及びＩＬ−１８に結合するモノクローナル抗体を含有し、ＩＬ−１βに結合するモノクローナル抗体及びＩＬ−１８に結合するモノクローナル抗体に前記細胞又は組織が接触させられ、それにより前記活性が中和又は遮断される薬剤。
【請求項２４】
前記細胞は、ＩＬ−１βに結合する前記モノクローナル抗体及びＩＬ−１８に結合する前記モノクローナル抗体に同時に又は継続的に接触させられる請求項２３に記載の薬剤。
【請求項２５】
ＩＬ−１β及びＩＬ−１８活性を中和又は遮断する抗体。
【請求項２６】
抗体が二重特異性抗体である請求項２５に記載の抗体。
【請求項２７】
抗体がヒト化されている請求項２５に記載の抗体。
【請求項２８】
抗体がＩＬ−１β及びＩＬ−１８に結合する請求項２５に記載の抗体。
【手続補正書】
【提出日】平成26年3月6日(2014.3.6)
【手続補正１】
【補正対象書類名】特許請求の範囲
【補正対象項目名】全文
【補正方法】変更
【補正の内容】
【特許請求の範囲】
【請求項１】
ａ）少なくとも１つのサイトカインに対する活性化増強型抗体と、ｂ）少なくとも１つの受容体に対する活性化増強型抗体とを含むことを特徴とする組み合わせ医薬組成物。
【請求項２】
少なくとも１つのサイトカインに対する活性化増強型抗体が、希釈するごとに振とうしながら連続的に１００倍希釈することにより調製される請求項１に記載の組み合わせ医薬組成物。
【請求項３】
少なくとも１つの受容体に対する活性化増強型抗体が、希釈するごとに振とうしながら連続的に１００倍希釈することにより調製される請求項１に記載の組み合わせ医薬組成物。
【請求項４】
少なくとも１つのサイトカインに対する活性化増強型抗体が、固体担体に浸透させたＣ１２、Ｃ３０、及びＣ５０のホメオパシー希釈物の混合物の形態であり、少なくとも１つの受容体に対する活性化増強型抗体が、前記固体担体に浸透させたＣ１２、Ｃ３０、及びＣ５０のホメオパシー希釈物の混合物の形態である請求項１に記載の組み合わせ医薬組成物。
【請求項５】
少なくとも１つのサイトカインに対する活性化増強型抗体が、固体担体に浸透させたＣ１２、Ｃ３０、及びＣ２００のホメオパシー希釈物の混合物の形態であり、少なくとも１つの受容体に対する活性化増強型抗体が、前記固体担体に浸透させたＣ１２、Ｃ３０、及びＣ２００のホメオパシー希釈物の混合物の形態である請求項１に記載の組み合わせ医薬組成物。
【請求項６】
希釈物の混合物が、担体に浸透している請求項５に記載の組み合わせ医薬組成物。
【請求項７】
抗体が、モノクローナル抗体、ポリクローナル抗体、又は天然の抗体である請求項１に記載の組み合わせ医薬組成物。
【請求項８】
抗体が、ポリクローナル抗体である請求項７に記載の組み合わせ医薬組成物。
【請求項９】
少なくとも１つのサイトカインが、γインターフェロンであり、少なくとも１つの受容体が、ＣＤ４受容体である請求項１に記載の組み合わせ医薬組成物。
【請求項１０】
ヒスタミンに対する活性化増強型抗体を更に含む請求項９に記載の組み合わせ医薬組成物。
【請求項１１】
少なくとも１つのサイトカインが、γインターフェロン及びαインターフェロンであり、少なくとも１つの受容体が、ＣＤ４受容体及びＣＤ８受容体である請求項１に記載の組み合わせ医薬組成物。
【請求項１２】
少なくとも１つのサイトカインが、αインターフェロンであり、少なくとも１つの受容体が、ＣＤ４受容体である請求項１に記載の組み合わせ医薬組成物。
【請求項１３】
少なくとも１つのサイトカインが、腫瘍壊死因子αであり、少なくとも１つの受容体が、ＣＤ４受容体である請求項１に記載の組み合わせ医薬組成物。
【請求項１４】
感染性疾患の治療に使用するための請求項１から１３のいずれかに記載の組み合わせ医薬組成物。
【請求項１５】
感染性疾患が、ウイルス感染性疾患である請求項１４に記載の組み合わせ医薬組成物。
【請求項１６】
ウイルス感染性疾患が、ＨＩＶによって引き起こされるか又はＨＩＶに関連する疾患又は状態である請求項１５に記載の組み合わせ医薬組成物。
【請求項１７】
ＨＩＶによって引き起こされるか又はＨＩＶに関連する疾患及び状態が、ＡＩＤＳである請求項１６に記載の組み合わせ医薬組成物。
【請求項１８】
ウイルス感染性疾患が、ウイルス性肝炎である請求項１５に記載の組み合わせ医薬組成物。
【請求項１９】
ウイルス性肝炎が、慢性Ｃ型肝炎である請求項１８に記載の組み合わせ医薬組成物。
【請求項２０】
ウイルス感染性疾患が、インフルエンザである請求項１５に記載の組み合わせ医薬組成物。
【請求項２１】
ウイルス感染性疾患が、急性気道感染症である請求項１５に記載の組み合わせ医薬組成物。
【請求項２２】
感染性疾患が、細菌感染性疾患である請求項１４に記載の組み合わせ医薬組成物。
【請求項２３】
組み合わせ医薬組成物が、１つ〜３つの単位剤形として投与され、前記剤形のそれぞれが１日１回から１日６回投与される請求項１４に記載の組み合わせ医薬組成物。
【請求項２４】
感染性疾患に苦しんでいる患者の治療に使用するための医薬組成物であって、ホメオパシーの技術に従って、連続して繰り返し希釈し、得られた溶液をそれぞれ多数回振とうすることによってそれぞれ調製される、ａ）少なくとも１つのサイトカインに対する活性化増強型抗体及びｂ）少なくとも１つの受容体に対する活性化増強型抗体の増強溶液を提供し、次いで、前記増強溶液を混合することによって組み合わせるか、或いは、担体塊に組み合わせた前記溶液を浸透させる又は別々に前記溶液を浸透させることによって得られることを特徴とする医薬組成物。
【手続補正書】
【提出日】平成26年8月11日(2014.8.11)
【手続補正１】
【補正対象書類名】特許請求の範囲
【補正対象項目名】全文
【補正方法】変更
【補正の内容】
【特許請求の範囲】
【請求項１】
インフルエンザウイルスをベースとするワクチンの製造方法であって、該方法は、
ａ）インフルエンザウイルスを永久ヒト羊膜細胞に感染させる工程、
ｂ）前記永久ヒト羊膜細胞を培養する工程、
ｃ）前記インフルエンザウイルスを発現させる工程、及び
ｄ）前記インフルエンザウイルスを前記培地から単離する工程、
を含み、
該永久ヒト羊膜細胞が、アデノウイルス遺伝子産物Ｅ１Ａ及びＥ１Ｂを発現する
ことを特徴とする方法。
【請求項２】
前記永久ヒト羊膜細胞が、前記インフルエンザウイルスに感染する時点で、指数関数的増殖期及び静止増殖期にあるか、又はそれらの間にある、請求項１に記載のインフルエンザウイルスをベースにするワクチンの製造方法。
【請求項３】
前記工程ｄ）の前記インフルエンザウイルスを前記培地から単離する工程が、密度勾配−分画遠心分離又はゾーン遠心分離で行われる、請求項１に記載のインフルエンザウイルスをベースにするワクチンの製造方法。
【請求項４】
前記アデノウイルス遺伝子産物Ｅ１Ａ及びＥ１Ｂが、前記ヒトアデノウイルス血清型５のヌクレオチド１〜４３４４、５０５〜３５２２又はヌクレオチド５０５〜４０７９を含む、請求項３に記載のインフルエンザウイルスをベースにするワクチンの製造方法。
【請求項５】
前記永久ヒト羊膜細胞が、前記アデノウイルス遺伝子産物ｐＩＸを発現する、請求項１〜４のいずれか一項に記載のインフルエンザウイルスをベースにするワクチンの製造方法。
【請求項６】
インフルエンザウイルスに感染させる前に、完全培地交換又は培地による１：２希釈を行う、請求項１〜５のいずれか一項に記載のインフルエンザウイルスをベースにするワクチンの製造方法。
【請求項７】
インフルエンザウイルスに感染させるとき、１×１０-4Ｕ／細胞、１×１０-5Ｕ／細胞、３×１０-5Ｕ／細胞、５×１０-5Ｕ／細胞又は１×１０-6Ｕ／細胞のトリプシン濃度を添加する、請求項１〜６のいずれか一項に記載のインフルエンザウイルスをベースにするワクチンの製造方法。
【請求項８】
インフルエンザウイルスに感染させるとき、０．００１〜０．３の範囲のＭＯＩ値として記載されるウイルス量を使用する、請求項１〜７のいずれか一項に記載のインフルエンザウイルスをベースにするワクチンの製造方法。
【請求項９】
前記インフルエンザウイルスが、ヒトインフルエンザウイルス、ウマインフルエンザ又はブタインフルエンザから選ばれる、請求項１〜８のいずれか一項に記載のインフルエンザウイルスをベースにするワクチンの製造方法。
【請求項１０】
前記インフルエンザウイルスが、インフルエンザウイルス株Ａ／ＰＲ／８／３４、Ａ／Ｕｒｕｇｕａｙ／７１６／２００７、Ａ／Ｂｒｉｓｂａｎｅ／５９／２００７、Ｂ／Ｆｌｏｒｉｄａ／４／２００６、ブタインフルエンザ（Ａ／ブタ（Ｈ１Ｎ２）Ｂａｋｕｍ／１８３２／００）又はウマインフルエンザ（Ａ／ウマ、Ａ／Ｎｅｗｍａｒｋｅｔ／１／９３（Ｈ３Ｎ８））から選ばれる、請求項１〜９のいずれか一項に記載のインフルエンザウイルスをベースにするワクチンの製造方法。
【請求項１１】
インフルエンザウイルスをベースにするワクチンを製造するための永久ヒト羊膜細胞の使用であって、該永久ヒト羊膜細胞が、アデノウイルス遺伝子産物Ｅ１Ａ及びＥ１Ｂを発現することを特徴とする、使用。
【手続補正書】
【提出日】平成26年8月1日(2014.8.1)
【手続補正１】
【補正対象書類名】特許請求の範囲
【補正対象項目名】全文
【補正方法】変更
【補正の内容】
【特許請求の範囲】
【請求項１】
軽質留分カラム内で粗生成物流を精製して生成物流を生成させ；そして
生成物流を乾燥カラムに送って、乾燥した生成物流及び１以上の蒸気側流を生成させる；
工程を含み；
１以上の蒸気側流によって１以上の分離システムへエネルギーを与える；
酢酸を製造するカルボニル化方法。
【請求項２】
１以上の蒸気側流を軽質留分カラムに送ることを更に含む、請求項１に記載の方法。
【請求項３】
１以上の蒸気側流を乾燥カラムの下部部分から引き抜く、請求項２に記載の方法。
【請求項４】
１以上の蒸気側流を軽質留分カラムの底部に供給する、請求項２に記載の方法。
【請求項５】
軽質留分カラムの底部部分にリボイラーを接続しない、請求項２に記載の方法。
【請求項６】
１以上の蒸気側流によって軽質留分カラム内の粗生成物流を加熱する、請求項１に記載の方法。
【請求項７】
乾燥カラムをリボイラーに接続する、請求項１に記載の方法。
【請求項８】
１以上の蒸気側流が酢酸及び水を含む、請求項１に記載の方法。
【請求項９】
１以上の蒸気側流が９０重量％〜９９．９重量％の量の酢酸を含む、請求項８に記載の方法。
【請求項１０】
１以上の蒸気側流が０．０１重量％〜１０重量％の量の水を含む、請求項８に記載の方法。
【請求項１１】
１以上の蒸気側流が１３０℃〜１８５℃の温度を有する、請求項１に記載の方法。
【請求項１２】
１以上の蒸気側流を軽質留分カラムの底部に供給する、請求項１に記載の方法。
【請求項１３】
軽質留分カラムを１２０℃〜１７０℃の底部温度内で運転する、請求項１に記載の方法。
【請求項１４】
軽質留分カラム内において分離を推進するために必要なエネルギーの全量の１％〜５０％を１以上の蒸気側流によって与える、請求項１に記載の方法。
【請求項１５】
軽質留分カラム内において分離を推進するために必要なエネルギーの全量の５０％〜１００％を１以上の蒸気側流によって与える、請求項１に記載の方法。
【請求項１６】
反応媒体を含む第１の反応器内で一酸化炭素を少なくとも１種類の反応物質と反応させて、酢酸を含む粗生成物流を生成させる：
工程を更に含み；
少なくとも１種類の反応物質が、メタノール、酢酸メチル、ギ酸メチル、ジメチルエーテル、及びこれらの混合物からなる群から選択され；そして
反応媒体が、水、酢酸、ヨウ化メチル、酢酸メチル、及び触媒を含む、請求項１に記載の方法。
【請求項１７】
軽質留分カラム内において粗生成物流を精製して、ヨウ化メチル及び酢酸メチルを除去して、粗生成物流よりも低いヨウ化メチル及び酢酸メチルの濃度を有する生成物流を生成させ；
生成物流を軽質留分カラムのサイドドローから引き抜き；そして
生成物流を乾燥カラムに送って、乾燥した生成物流及び１以上の蒸気側流を生成させる；
工程を含み；
乾燥カラムからの１以上の蒸気側流によって、軽質留分カラム内の生成物流を加熱する；
酢酸を製造するカルボニル化方法。
【請求項１８】
１以上の蒸気側流が酢酸及び水を含む、請求項１７に記載の方法。
【請求項１９】
１以上の蒸気側流が１３０℃〜１８５℃の温度を有する、請求項１７に記載の方法。
【手続補正２】
【補正対象書類名】明細書
【補正対象項目名】００１０
【補正方法】変更
【補正の内容】
【００１０】
これらに限定されるものではないが、本発明は以下の態様の発明を包含する。
［１］軽質留分カラム内で粗生成物流を精製して生成物流を生成させ；そして
生成物流を乾燥カラムに送って、乾燥した生成物流及び１以上の蒸気側流を生成させる；
工程を含み；
１以上の蒸気側流によって１以上の分離システムへエネルギーを与える；
酢酸を製造するカルボニル化方法。
［２］１以上の蒸気側流を軽質留分カラムに送ることを更に含む、［１］に記載の方法。
［３］１以上の蒸気側流を乾燥カラムの下部部分から引き抜く、［２］に記載の方法。
［４］１以上の蒸気側流を軽質留分カラムの底部に供給する、［２］に記載の方法。
［５］軽質留分カラムの底部部分にリボイラーを接続しない、［２］に記載の方法。
［６］１以上の蒸気側流によって軽質留分カラム内の粗生成物流を加熱する、［１］に記載の方法。
［７］乾燥カラムをリボイラーに接続する、［１］に記載の方法。
［８］１以上の蒸気側流が酢酸及び水を含む、［１］に記載の方法。
［９］１以上の蒸気側流が９０重量％〜９９．９重量％の量の酢酸を含む、［８］に記載の方法。
［１０］１以上の蒸気側流が０．０１重量％〜１０重量％の量の水を含む、［８］に記載の方法。
［１１］１以上の蒸気側流が１３０℃〜１８５℃の温度を有する、［１］に記載の方法。
［１２］１以上の蒸気側流を軽質留分カラムの底部に供給する、［１］に記載の方法。
［１３］軽質留分カラムを１２０℃〜１７０℃の底部温度内で運転する、［１］に記載の方法。
［１４］軽質留分カラム内において分離を推進するために必要なエネルギーの全量の１％〜５０％を１以上の蒸気側流によって与える、［１］に記載の方法。
［１５］軽質留分カラム内において分離を推進するために必要なエネルギーの全量の５０％〜１００％を１以上の蒸気側流によって与える、［１］に記載の方法。
［１６］反応媒体を含む第１の反応器内で一酸化炭素を少なくとも１種類の反応物質と反応させて、酢酸を含む粗生成物流を生成させる：
工程を更に含み；
少なくとも１種類の反応物質が、メタノール、酢酸メチル、ギ酸メチル、ジメチルエーテル、及びこれらの混合物からなる群から選択され；そして
反応媒体が、水、酢酸、ヨウ化メチル、酢酸メチル、及び触媒を含む、［１］に記載の方法。
［１７］軽質留分カラム内において粗生成物流を精製して、ヨウ化メチル及び酢酸メチルを除去して、粗生成物流よりも低いヨウ化メチル及び酢酸メチルの濃度を有する生成物流を生成させ；
生成物流を軽質留分カラムのサイドドローから引き抜き；そして
生成物流を乾燥カラムに送って、乾燥した生成物流及び１以上の蒸気側流を生成させる；
工程を含み；
乾燥カラムからの１以上の蒸気側流によって、軽質留分カラム内の生成物流を加熱する；
酢酸を製造するカルボニル化方法。
［１８］１以上の蒸気側流が酢酸及び水を含む、［１７］に記載の方法。
［１９］１以上の蒸気側流が１３０℃〜１８５℃の温度を有する、［１７］に記載の方法。
［２０］軽質留分カラム内において粗生成物流を精製して生成物流を生成させ；
精製した生成物流を乾燥カラムに送って、乾燥した生成物流を生成させ；そして
乾燥カラムからの熱を軽質留分カラムに移動させる；
工程を含む、軽質留分カラムを加熱する方法。
［２１］熱を移動させる工程が、
１以上の蒸気側流を乾燥カラムから引き抜き；そして
１以上の蒸気側流を軽質留分カラムに送る；
ことを更に含む、［２０］に記載の方法。
［２２］１以上の蒸気側流が酢酸及び水を含む、［２０］に記載の方法。
［２３］１以上の蒸気側流が１３０℃〜１８５℃の温度を有する、［２０］に記載の方法。
[0009]本発明は添付の非限定的な図面を考慮するとより良好に理解されるであろう。
【手続補正書】
【提出日】平成26年8月25日(2014.8.25)
【手続補正１】
【補正対象書類名】特許請求の範囲
【補正対象項目名】全文
【補正方法】変更
【補正の内容】
【特許請求の範囲】
【請求項１】
美容的に許容可能な担体及び複数のナノ粒子を含む局所美容組成物であって、
前記美容的に許容可能な担体は、局所投与のために構成されており、
前記ナノ粒子がプラズモンであり、
前記ナノ粒子は、皮膚への局所的な適用及び標的組織領域への浸透のために構成されており、
前記ナノ粒子が、エネルギーを適用されることによって、標的組織領域における熱損傷を誘発する、組成物。
【請求項２】
前記組成物１ｍｌ中における前記ナノ粒子の濃度が１０9〜１０23粒子であり、
前記ナノ粒子は、１０ Ｏ．Ｄ．〜１０００ Ｏ．Ｄ．の光学密度を有しており、
前記ナノ粒子は、励起表面プラズモン共鳴源から標的組織領域まで送達されるエネルギーへの曝露によって活性化され、
前記ナノ粒子は、少なくとも銀及び金からなる群の少なくとも１種の固体金属を含み、
前記美容的に許容可能な担体が、添加剤、着色剤、乳化剤、芳香剤、保湿剤、重合可能なモノマー、安定剤、溶媒、及び界面活性剤からなる群の少なくとも１種を含む、請求項１に記載の組成物。
【請求項３】
前記ナノ粒子は、励起表面プラズモン共鳴源から標的組織領域まで送達されるエネルギーへの曝露によって活性化され、
前記プラズモンナノ粒子は、コーティングを含み、
前記コーティングは、少なくともシリカまたはポリエチレングリコール（ＰＥＧ）を含む、請求項１に記載の組成物。
【請求項４】
前記ナノ粒子が、金属、金属複合材、金属酸化物、金属塩、導電体、電気的な超伝導体、電気的な半導体、誘電体、及びこれらの組み合わせからなる群の少なくとも１種を含む、請求項１〜３のいずれかに記載の組成物。
【請求項５】
前記ナノ粒子は、赤外線の範囲において、１０ Ｏ．Ｄ．〜１０００ Ｏ．Ｄ．の光学密度を有している、請求項１、３、または４に記載の組成物。
【請求項６】
前記プラズモンナノ粒子が、厚み５〜３５ナノメートルのシリカコーティングを有しており、
前記許容可能な担体が、水及びポリエチレングリコールを含んでおり、
前記組成物が、硫酸ドデシルナトリウムをさらに含む、請求項１〜５のいずれかに記載の組成物。
【請求項７】
前記ナノ粒子が、親水性又は脂肪族のコーティングを含んでおり、
前記コーティングが、ポリエチレングリコール、シリカ、シリカ−オキシド、ポリビニルピロリドン、ポリスチレン、タンパク質、及びペプチドからなる群の少なくとも１種を含む、請求項１〜６のいずれかに記載の組成物。
【請求項８】
前記熱損傷が、熱変調、除去、溶解、変性、炎症の誘発、熱ショックタンパク質の活性化、細胞シグナル伝達の撹乱、及び標的組織領域中の細胞微環境に対する破壊からなる群の少なくとも１種をもたらす、請求項１〜７のいずれかに記載の組成物。
【請求項９】
前記標的組織領域は、皮膚表面、上皮、真皮、毛嚢脂腺ユニット、皮脂腺、皮脂腺の構成要素、脂腺細胞、脂腺細胞の構成要素、皮脂、及び毛嚢漏斗からなる群の少なくとも１種を含む、請求項１〜８のいずれかに記載の組成物。
【請求項１０】
前記標的組織領域は、バルジ、鱗茎、幹細胞、幹細胞微小環境、真皮乳頭、皮質、表皮、毛鞘、骨髄、幽門筋、ハックスリー層、及びヘンレ層からなる群の少なくとも１種を含む、請求項１〜９のいずれかに記載の組成物。
【請求項１１】
前記ナノ粒子が、ナノプレートである、請求項１〜１０のいずれかに記載の組成物。
【請求項１２】
前記組成物が、皮膚処置、瘢痕処置、挫瘡処置、及び／又は除毛処置として使用される、請求項１〜１１のいずれかに記載の組成物。
【請求項１３】
請求項１〜１２のいずれかに記載の組成物と、ヒトの皮膚への適用に適しているプラズモンのエネルギー源とを含む、毛のレーザー切除又は挫瘡処置のためのシステム。
【請求項１４】
美容組成物で毛嚢脂腺ユニットを美容的に処置する方法であって、
複数のプラズモンナノ粒子、及び皮膚への局所的な適用のために構成された美容的に許容可能な担体を含む組成物を被験体の皮膚に供給する工程；
該組成物を該皮膚に局所的に適用する工程；
皮膚から毛嚢脂腺ユニット部分へ該組成物を再分配する工程；
赤外線源から該組成物に光照射して当該プラズモン粒子の表面プラズモンを生成し、前記毛嚢脂腺ユニットを処理する工程
を含む方法。
【請求項１５】
溶液１ｍｌ中における前記プラズモンナノ粒子の濃度が１０9〜１０23粒子であり、
該濃度は、光照射に曝された後において、該溶液が局所的に接触された毛嚢脂腺ユニットの熱損傷を誘発するのに十分な濃度であり、
前記プラズモンナノ粒子は、固体の導電性の銀コア、及びピーク吸収波長が７５０ｎｍ〜１２００ｎｍのシリカコーティングを含み、
前記プラズモンナノ粒子は、赤外線における１０ Ｏ．Ｄ．〜１０００ Ｏ．Ｄ．の光学密度を有している、請求項１４に記載の方法。
【請求項１６】
光照射に先立ち、皮膚表面を用意し、毛嚢の開口から毛幹または毛嚢栓を除去し、皮膚表面から毛嚢脂腺ユニット部分への再分配を増加させる工程、
皮膚表面を光照射エネルギーに曝す前に、少なくとも一部のプラズモンナノ粒子を皮膚表面から除去し、それよって皮膚表面の熱を減少または除去する工程
を備える、請求項１４または１５に記載の方法。